(57)【要約】【課題】伝送される画像データの明るさに応じて他の伝送端末との接続を切断することができる伝送端末、伝送システム、及びプログラムを提供することを課題とする。【解決手段】画像データの伝送を行う伝送端末であって、他の伝送端末から伝送される画像データの明度に関する情報を受信する受信手段と、前記受信手段で受信した明度に関する情報が所定の条件を満たすか否かを判定する判定手段と、前記判定手段により前記明度に関する情報が前記所定の条件を満たすと判定された場合、前記他の伝送端末との接続を切断し、前記伝送端末を所定の状態に移行させる移行手段と、を有することにより、上記課題を解決する。【選択図】  図５
2015159391.tif 000002
【特許請求の範囲】
【請求項１】
画像データの伝送を行う伝送端末であって、
他の伝送端末から伝送される画像データの明度に関する情報を受信する受信手段と、
前記受信手段で受信した明度に関する情報が所定の条件を満たすか否かを判定する判定手段と、
前記判定手段により前記明度に関する情報が前記所定の条件を満たすと判定された場合、前記他の伝送端末との接続を切断し、前記伝送端末を所定の状態に移行させる移行手段と、
を有する伝送端末。
【請求項２】
前記移行手段は、前記判定手段により前記明度に関する情報が前記所定の条件を満たすと判定された場合、前記他の伝送端末との接続を切断し、前記伝送端末を電源が落とされた状態又は省電力状態に移行させる、請求項１記載の伝送端末。
【請求項３】
前記明度に関する情報は、前記画像データの各画素における明度の平均値であり、
前記判定手段は、前記平均値が所定の閾値以上であるか否かを判定する、請求項１又は２記載の伝送端末。
【請求項４】
接続を切断した前記他の伝送端末との接続を再開させるための接続再開要求を送信する再開要求手段と、
前記他の伝送端末に接続再開要求を送信するための条件を設定する再開条件設定手段と、を有し、
前記再開要求手段は、前記再開条件設定手段により設定された条件を満たした場合、前記接続再開要求を送信する、請求項１ないし３のいずれか１項に記載の伝送端末。
【請求項５】
画像データの伝送を行う２以上の伝送端末を有する伝送システムであって、
第１の伝送端末から伝送された画像データの明度に関する情報を生成する明度情報生成手段と、
前記明度情報生成手段により生成された前記明度に関する情報を第２の伝送端末に送信する送信手段と、
前記送信手段により送信された前記明度に関する情報を受信する受信手段と、
前記受信手段で受信した明度に関する情報が所定の条件を満たすか否かを判定する判定手段と、
前記判定手段により前記明度に関する情報が前記所定の条件を満たすと判定された場合、前記第１の伝送端末との接続を切断し、前記第２の伝送端末を所定の状態に移行させる移行手段と、
を有する伝送システム。
【請求項６】
接続を切断した前記第１の伝送端末との接続を再開させるための接続再開要求を送信する再開要求手段と、
前記第１の伝送端末に接続再開要求を送信するための条件を設定する再開条件設定手段と、を有し、
前記再開要求手段は、前記再開条件設定手段により設定された条件を満たした場合、前記接続再開要求を送信する、請求項５記載の伝送システム。
【請求項７】
受信した接続再開要求に応じて、前記第２の伝送端末に接続再開応答を送信し、前記第２の伝送端末との接続を再開させる接続再開手段と、
前記接続再開要求を受信した場合、前記第２の伝送端末との接続の再開が許可されているか否かを判定する再開判定手段と、を有し、
前記接続再開手段は、前記再開判定手段により前記第２の伝送端末との接続の再開が許可されていると判定された場合、前記第２の伝送端末に接続再開応答を送信し、前記第２の伝送端末との接続を再開させる、請求項６記載の伝送システム。
【請求項８】
画像データの伝送を行う伝送端末を、
他の伝送端末から伝送される画像データの明度に関する情報を受信する受信手段、
前記受信手段で受信した明度に関する情報が所定の条件を満たすか否かを判定する判定手段、
前記判定手段により前記明度に関する情報が前記所定の条件を満たすと判定された場合、前記他の伝送端末との接続を切断し、前記伝送端末を所定の状態に移行させる移行手段、
として機能させるためのプログラム。
【発明の詳細な説明】
【技術分野】
【０００１】
本発明は、伝送端末、伝送システム、及びプログラムに関する。
【背景技術】
【０００２】
インターネット等の通信ネットワークを介してテレビ会議などを行う伝送システムが従来より知られている（例えば特許文献１参照）。このような伝送システムでは、複数の伝送端末間で通話を開始すると、画像データ及び音声データの送受信を行い、遠隔地における会議室などの間でテレビ会議を実現することができる。
【０００３】
また、このような伝送システムは、伝送端末が設置された会議室の空き状況（利用状況）の確認や防犯目的の監視カメラとして利用することもできる（例えば特許文献２参照）。
【発明の概要】
【発明が解決しようとする課題】
【０００４】
しかしながら、上記の従来技術では、会議室の空き状況の確認や防犯目的の監視カメラとして利用する場合、例えば夜間に会議室の照明が付いていないときは確認や監視をすることができず、余計な通話料やネットワークトラフィックが発生するという問題がある。
【０００５】
本発明の実施の形態は、上記の点に鑑みてなされたもので、伝送される画像データの明るさに応じて他の伝送端末との接続を切断する伝送端末、伝送システム、及びプログラムを提供することを目的とする。
【課題を解決するための手段】
【０００６】
上記目的を達成するため、本発明の実施の形態は、画像データの伝送を行う伝送端末であって、他の伝送端末から伝送される画像データの明度に関する情報を受信する受信手段と、前記受信手段で受信した明度に関する情報が所定の条件を満たすか否かを判定する判定手段と、前記判定手段により前記明度に関する情報が前記所定の条件を満たすと判定された場合、前記他の伝送端末との接続を切断し、前記伝送端末を所定の状態に移行させる移行手段と、を有することを特徴とする。
【発明の効果】
【０００７】
本発明の実施の形態によれば、伝送される画像データの明るさに応じて他の伝送端末との接続を切断することができる。
【図面の簡単な説明】
【０００８】
【図１】本実施形態に係る伝送システムの一例の概略図である。
【図２】本実施形態に係る伝送端末の一例の外観図である。
【図３】本実施形態に係る伝送端末のハードウェア構成図である。
【図４】本実施形態に係る中継装置、伝送管理システム、プログラム提供システム、メンテナンスシステムのハードウェア構成図である。
【図５】本実施形態に係る伝送システム１を構成する各端末、装置及びシステムの機能ブロック図である。
【図６】条件設定テーブルの一例の構成図である。
【図７】初期設定画面の一例のイメージ図である。
【図８】初期設定画面の他の例のイメージ図である。
【図９】メッセージテーブルの一例の構成図である。
【図１０】中継装置管理テーブルの一例の構成図である。
【図１１】端末認証管理テーブルの一例の構成図である。
【図１２】端末管理テーブルの一例の構成図である。
【図１３】宛先リスト管理テーブルの一例の構成図である。
【図１４】セッション管理テーブルの一例の構成図である。
【図１５】自動接続管理テーブルの一例の構成図である。
【図１６】本実施形態に係る端末の間で接続を開始する準備段階の処理の一例のシーケンス図である。
【図１７】本実施形態に係る複数の端末の間で接続を開始する段階の処理の一例のシーケンス図である。
【図１８】本実施形態に係る自動切断処理の一例のシーケンス図である。
【図１９】接続終了情報に含まれるデータの一例の構成図である。
【図２０】自動切断通知画面の一例のイメージ図である。
【図２１】本実施形態に係る自動接続処理の一例のシーケンス図である。
【図２２】自動接続拒否画面の一例のイメージ図である。
【発明を実施するための形態】
【０００９】
次に、本発明の実施の形態について、詳細に説明する。
【００１０】
＜全体構成＞
図１は、本実施形態に係る伝送システムの一例の概略図である。
【００１１】
伝送システムには、伝送管理システムを介して一方の伝送端末から他方の伝送端末に一方向でコンテンツデータを伝送するデータ提供システムや、伝送管理システムを介して複数の伝送端末間で情報や感情等を相互に伝達するコミュニケーションシステムが含まれる。このコミュニケーションシステムは、コミュニケーション管理システム（「伝送管理システム」に相当）を介して複数のコミュニケーション端末（「伝送端末」に相当）間で情報や感情等を相互に伝達するためのシステムであり、テレビ会議システムやテレビ電話システム等が例として挙げられる。また、データ提供システムは、データ提供管理システム（「伝送管理システム」に相当）を介して複数のデータ提供端末（「伝送端末」に相当）間で情報等の伝送するためのシステムであり、映像（画像）データの提供を行う監視システム等が例として挙げられる。
【００１２】
本実施形態では、データ提供システムの一例としての監視システムを想定した上で、伝送システム、伝送管理システム、及び伝送端末について説明する。すなわち、本発明の伝送端末及び伝送管理システムは、監視システムに適用されるだけでなく、その他のデータ提供システムや会議システム等のコミュニケーションシステムにも適用される。
【００１３】
まず、図１に示されている伝送システム１は、複数の伝送端末（１０ａａ，１０ａｂ，・・・）、各伝送端末（１０ａａ，１０ａｂ，・・・）用のディスプレイ（１２０ａａ，１２０ａｂ，・・・）、複数の中継装置（３０ａ，３０ｂ，・・・）、伝送管理システム５０、プログラム提供システム９０、及びメンテナンスシステム１００によって構築されている。
【００１４】
複数の伝送端末１０は、コンテンツデータの一例としての画像データ及び音声データの送受信による伝送を行う。複数の伝送端末１０は、画像データのみの送受信による伝送を行ってもよい。
【００１５】
なお、以下では、「伝送端末」を単に「端末」として表し、「伝送管理システム」を単に「管理システム」として表す。また、複数の端末（１０ａａ，１０ａｂ，・・・）のうち任意の端末は「端末１０」と表され、複数のディスプレイ（１２０ａａ，１２０ａｂ，・・・）のうち任意のディスプレイは「ディスプレイ１２０」と表され、複数の中継装置（３０ａ，３０ｂ，・・・）のうち任意の中継装置は「中継装置３０」と表されている。さらに、一方の端末１０から他方の端末１０へ監視の開始（データ提供の開始）を要求する要求元としての端末は「要求元端末」と表され、要求先である宛先としての端末は「宛先端末」と表されている。
【００１６】
また、伝送システム１において、要求元端末と宛先端末との間では、管理システム５０を介して、各種の管理情報を送受信するための管理情報用セッションが確立される。また、要求元端末と宛先端末との間では、中継装置３０を介して、画像データや音声データを送受信するためのセッションが確立される。
【００１７】
図１に示されている中継装置３０は、複数の端末１０の間で、コンテンツデータの中継を行う。管理システム５０は、端末１０からのログイン認証、端末１０の通話状況の管理、宛先リストの管理等、及び中継装置３０の通話状況等を一元的に管理する。なお、本実施形態では、画像データの画像は動画であるものとして説明するが、静止画であってもよく、動画と静止画の両方であってもよい。
【００１８】
複数のルータ（７０ａ，７０ｂ，７０ｃ，７０ｄ，７０ａｂ，７０ｃｄ）は、画像データ及び音声データの最適な経路選択を行う。なお、以下では、ルータ（７０ａ，７０ｂ，７０ｃ，７０ｄ，７０ａｂ，７０ｃｄ）のうち任意のルータは「ルータ７０」と表されている。
【００１９】
プログラム提供システム９０は、後述のＨＤ（Hard Disk）２０４を備えており、端末１０に各種機能を実現させる（又は、端末１０を各種手段として機能させる）ための端末用プログラムが記憶され、端末１０に端末用プログラムを送信することができる。また、プログラム提供システム９０のＨＤ２０４には、中継装置３０に各種機能を実現させる（又は、中継装置３０を各種手段として機能させる）ための中継装置用プログラムも記憶されており、中継装置３０に、中継装置用プログラムを送信することができる。さらに、プログラム提供システム９０のＨＤ２０４には、管理システム５０に各種機能を実現させる（又は、管理システム５０を各種手段として機能させる）ための伝送管理用プログラムも記憶されており、管理システム５０に、伝送管理用プログラムを送信することができる。
【００２０】
メンテナンスシステム１００は、端末１０、中継装置３０、管理システム５０、及びプログラム提供システム９０のうちの少なくとも１つの維持、管理、又は保守を行うためのコンピュータである。例えば、メンテナンスシステム１００が国内に設置され、端末１０、中継装置３０、管理システム５０、又はプログラム提供システム９０が国外に設置されている場合、メンテナンスシステム１００は、通信ネットワーク２を介して遠隔的に、端末１０、中継装置３０、管理システム５０、及びプログラム提供システム９０のうちの少なくとも１つの維持、管理、保守等のメンテナンスを行う。また、メンテナンスシステム１００は、通信ネットワーク２を介さずに、端末１０、中継装置３０、管理システム５０、及びプログラム提供システム９０のうちの少なくとも１つにおける機種番号、製造番号、販売先、保守点検、又は故障履歴の管理等のメンテナンスを行う。
【００２１】
ところで、端末（１０ａａ，１０ａｂ，１０ａｃ，・・・）、中継装置３０ａ、及びルータ７０ａは、ＬＡＮ２ａによって通信可能に接続されている。端末（１０ｂａ，１０ｂｂ，１０ｂｃ，・・・）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００２２】
一方、端末（１０ｃａ，１０ｃｂ，１０ｃｃ，・・・）、中継装置３０ｃ、及びルータ７０ｃは、ＬＡＮ２ｃによって通信可能に接続されている。端末（１０ｄａ，１０ｄｂ，１０ｄｃ，・・・）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカ合衆国であり、ＬＡＮ２ｃはニューヨークの事業所内で構築されており、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００２３】
また、管理システム５０、プログラム提供システム９０、及びメンテナンスシステム１００は、インターネット２ｉを介して、端末１０、及び中継装置３０と通信可能に接続されている。管理システム５０、プログラム提供システム９０、又はメンテナンスシステム１００は、地域Ａ又は地域Ｂに設置されていてもよいし、これら以外の地域に設置されていてもよい。
【００２４】
なお、本実施形態では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、通信ネットワーク２が構築されている。この通信ネットワーク２には、有線だけでなく、ＷｉＦｉ（Wireless Fidelity）や、Ｂｌｕｅｔｏｏｔｈ（登録商標）等の無線による通信が行われる箇所があってもよい。
【００２５】
また、図１において、各端末１０、各中継装置３０、管理システム５０、各ルータ７０、プログラム提供システム９０、及びメンテナンスシステム１００の下に示されている４組の数字は、一般的なＩＰｖ４におけるＩＰアドレスを簡易的に示している。例えば、端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００２６】
なお、各端末１０は、複数の事業所間での通話や、同じ事業者内の異なる部屋間での通話だけでなく、同じ部屋内での通話や、屋外と屋内又は屋外と屋外での通話で使われてもよい。各端末１０が屋外で使われる場合には、携帯電話通信網等の無線による通信が行われる。
【００２７】
＜ハードウェア構成＞
次に、本実施形態のハードウェア構成について説明する。図２は、本実施形態に係る伝送端末の一例の外観図である。以下、端末１０の長手方向をＸ軸方向、水平面内でＸ軸方向に直交する方向をＹ軸方向、Ｘ軸方向及びＹ軸方向に直交する方向（鉛直方向）をＺ軸方向として説明する。
【００２８】
図２に示されているように、端末１０は、筐体１１００、アーム１２００、及びカメラハウジング１３００を備えている。このうち、筐体１１００の前側壁面１１１０には、複数の吸気孔によって形成された不図示の吸気面が設けられており、筐体１１００の後側壁面１１２０には、複数の排気孔が形成された排気面１１２１が設けられている。これにより、筐体１１００に内蔵された冷却ファンの駆動によって、不図示の吸気面を介して端末１０の前方の外気を取り込み、排気面１１２１を介して端末１０の後方へ排気することができる。筐体１１００の右側壁面１１３０には、収音用孔１１３１が形成され、後述する内蔵型マイク１１４によって音声、物音、雑音等の音が収音可能となっている。
【００２９】
筐体１１００の右側壁面１１３０の側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられていると共に、後述の内蔵型スピーカ１１５から出力音を通すための複数の音声出力孔によって形成された音声出力面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用ケーブル１２０ｃを接続するための不図示の接続口が設けられている。
【００３０】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００３１】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図２は、チルト角が９０度の状態を示している。
【００３２】
カメラハウジング１３００には、内蔵型のカメラ１０２１が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図２で示されている状態を０度として±１８０度のパン角θ２の範囲で、且つ、±４５度のチルト角θ３の範囲で、上下左右方向に回転可能に構成されている。
【００３３】
また、図示しないが、本実施形態に係る端末１０は、スマートフォン、タブレット、ラップトップ又は腕時計若しくは眼鏡型のウェアラブルコンピュータであってもよい。
【００３４】
なお、中継装置３０、管理システム５０、プログラム提供システム９０、及びメンテナンスシステム１００は、それぞれ一般のサーバ・コンピュータの外観と同じであるため、外観の説明を省略する。
【００３５】
次に、端末１０のハードウェア構成について説明する。図３は、本実施形態に係る伝送端末のハードウェア構成図である。図３に示されているように、本実施形態の端末１０は、端末１０全体の動作を制御するＣＰＵ（Central Processing Unit）１０１、ＩＰＬ（Initial Program Loader）等のＣＰＵ１０１の駆動に用いられるプログラムを記憶したＲＯＭ（Read Only Memory）１０２、ＣＰＵ１０１のワークエリアとして使用されるＲＡＭ（Random Access Memory）１０３、端末用プログラム、画像データ、及び音声データ等の各種データを記憶するフラッシュメモリ１０４、ＣＰＵ１０１の制御にしたがってフラッシュメモリ１０４に対する各種データの読み出し又は書き込みを制御するＳＳＤ（Solid State Drive）１０５、フラッシュメモリ等の記録メディア１０６に対するデータの読み出し又は書き込み（記憶）を制御するメディアドライブ１０７、端末１０の宛先を選択する場合などに操作される操作ボタン１０８、端末１０の電源のＯＮ／ＯＦＦを切り換えるための電源スイッチ１０９、通信ネットワーク２を利用してデータ伝送をするためのネットワークＩ／Ｆ（Interface）１１１を備えている。
【００３６】
また、端末１０は、ＣＰＵ１０１の制御に従って被写体を撮像して画像データを得る内蔵型のカメラ１１２、このカメラ１１２の駆動を制御する撮像素子Ｉ／Ｆ１１３、音声を入力する内蔵型のマイク１１４、音声を出力する内蔵型のスピーカ１１５、ＣＰＵ１０１の制御に従ってマイク１１４及びスピーカ１１５との間で音声信号の入出力を処理する音声入出力Ｉ／Ｆ１１６、ＣＰＵ１０１の制御に従って外付けのディスプレイ１２０に画像データを伝送するディスプレイＩ／Ｆ１１７、各種の外部機器を接続するための外部機器接続Ｉ／Ｆ１１８、及び上記各構成要素を図５に示されているように電気的に接続するためのアドレスバスやデータバス等のバスライン１１０を備えている。
【００３７】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ（登録商標）（High-Definition Multimedia Interface）やＤＶＩ（Digital Video Interactive）信号用のケーブルであってもよい。
【００３８】
カメラ１１２は、レンズや、光を電荷に変換して被写体の画像（映像）を電子化する固体撮像素子を含み、固体撮像素子として、ＣＭＯＳ（Complementary Metal Oxide Semiconductor）や、ＣＣＤ（Charge Coupled Device）等が用いられる。
【００３９】
外部機器接続Ｉ／Ｆ１１８には、ＵＳＢ（Universal Serial Bus）ケーブル等によって、外付けカメラ、外付けマイク、及び外付けスピーカ等の外部機器がそれぞれ接続可能である。外付けカメラが接続された場合には、ＣＰＵ１０１の制御に従って、内蔵型のカメラ１１２に優先して外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００４０】
なお、記録メディア１０６は、端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and
Programmable ROM）等を用いてもよい。
【００４１】
さらに、上記端末用プログラムは、インストール可能な形式又は実行可能な形式のファイルで、上記記録メディア１０６等の、コンピュータで読み取り可能な記録媒体に記録して流通させるようにしてもよい。また、上記端末用プログラムは、フラッシュメモリ１０４ではなくＲＯＭ１０２に記憶させるようにしてもよい。
【００４２】
次に、中継装置３０、管理システム５０、プログラム提供システム９０、及びメンテナンスシステム１００のハードウェア構成について説明する。図４は、本実施形態に係る中継装置、伝送管理システム、プログラム提供システム、メンテナンスシステムのハードウェア構成図である。
【００４３】
管理システム５０は、管理システム５０全体の動作を制御するＣＰＵ２０１、ＩＰＬ等のＣＰＵ２０１の駆動に用いられるプログラムを記憶したＲＯＭ２０２、ＣＰＵ２０１のワークエリアとして使用されるＲＡＭ２０３、伝送管理用プログラム等の各種データを記憶するＨＤ２０４、ＣＰＵ２０１の制御にしたがってＨＤ２０４に対する各種データの読み出し又は書き込みを制御するＨＤＤ(Hard Disk Drive)２０５、フラッシュメモリ等の記録メディア２０６に対するデータの読み出し又は書き込み（記憶）を制御するメディアドライブ２０７、カーソル、メニュー、ウィンドウ、文字、又は画像などの各種情報を表示するディスプレイ２０８、通信ネットワーク２を利用してデータ伝送をするためのネットワークＩ／Ｆ２０９、文字、数値、各種指示などの入力のための複数のキーを備えたキーボード２１１、各種指示の選択や実行、処理対象の選択、カーソルの移動などを行うマウス２１２、着脱可能な記録媒体の一例としてのＣＤ−ＲＯＭ(Compact Disc Read Only Memory)２１３に対する各種データの読み出し又は書き込みを制御するＣＤ−ＲＯＭドライブ２１４、及び、上記各構成要素を図６に示されているように電気的に接続するためのアドレスバスやデータバス等のバスライン２１０を備えている。
【００４４】
なお、上記伝送管理用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記伝送管理用プログラムは、ＨＤ２０４ではなくＲＯＭ２０２に記憶されるようにしてもよい。
【００４５】
また、中継装置３０は、上記管理システム５０と同様のハードウェア構成を有しているため、その説明を省略する。但し、ＨＤ２０４には、中継装置３０を制御するための中継装置用プログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記中継装置用プログラムは、ＨＤ２０４ではなくＲＯＭ２０２に記憶されるようにしてもよい。
【００４６】
また、プログラム提供システム９０及びメンテナンスシステム１００は、上記管理システム５０と同様のハードウェア構成を有しているため、その説明を省略する。但し、ＨＤ２０４には、プログラム提供システム９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記プログラム提供システム用プログラムは、ＨＤ２０４ではなくＲＯＭ２０２に記憶されるようにしてもよい。
【００４７】
なお、上記着脱可能な記録媒体の他の例として、ＣＤ−Ｒ(Compact Disc Recordable)、ＤＶＤ(Digital Versatile Disk)、ブルーレイディスク等のコンピュータで読み取り可能な記録媒体に記録して提供するように構成してもよい。
【００４８】
＜機能構成＞
次に、本実施形態の機能構成について説明する。図５は、本実施形態に係る伝送システム１を構成する各端末、装置及びシステムの機能ブロック図である。図５では、端末１０、中継装置３０、及び管理システム５０が、通信ネットワーク２を介してデータ通信することができるように接続されている。また、図１に示されているプログラム提供システム９０及びメンテナンスシステム１００は、本実施形態では直接関係ないため、図５では省略されている。
【００４９】
《端末の各機能構成》
端末１０は、送受信部１１、操作入力受付部１２、ログイン要求部１３、撮像部１４、音声入力部１５ａ、音声出力部１５ｂ、表示制御部１６、明度判定部１７、電源制御部１８、条件設定部１９、再開許否判定部２０、宛先リスト作成部２１、及び記憶・読出処理部２２を有している。これら各部は、図３に示されている各構成要素のいずれかが、フラッシュメモリ１０４からＲＡＭ１０３上に展開された端末用プログラムに従ったＣＰＵ１０１からの命令によって動作することで実現される機能、又は機能される手段である。
【００５０】
また、端末１０は、図３に示されているＲＡＭ１０３によって構築される揮発性記憶部２０００、及び図３に示されているフラッシュメモリ１０４によって構築される不揮発性記憶部１０００を有している。
【００５１】
次に、図３及び図５を用いて、端末１０の各機能構成について詳細に説明する。なお、以下では、端末１０の各機能構成部を説明するにあたって、図３に示されている各構成要素のうち、端末１０の各機能構成部を実現させるための主な構成要素との関係も説明する。
【００５２】
図５に示されている端末１０の送受信部１１は、図３に示されているＣＰＵ１０１からの命令、及び図３に示されているネットワークＩ／Ｆ２２２によって実現され、通信ネットワーク２を介してほかの端末、装置又はシステムと各種データ（または情報）の送受信を行う。この送受信部１１は、所望の宛先端末と通話を開始する前から、管理システム５０より、宛先候補としての各端末の状態を示す各状態情報の受信を開始する。なお、この状態情報は、各端末１０の稼働状態（オンラインかオフラインかの状態）だけでなく、オンラインであってもさらに通話中であるか、離席中であるか等の詳細な状態を示す。また、この状態情報は、各端末１０の稼働状態だけでなく、端末１０でケーブル１２０ｃが端末１０から外れていたり、音声を出力するが画像は出力させなかったり、音声を出力させないようにする（ＭＵＴＥ）等、様々な状態を示す。以下では、一例として、状態情報が稼働状態を示す場合について説明する。
【００５３】
操作入力受付部１２は、図３に示されているＣＰＵ１０１からの命令、並びに図３に示されている操作ボタン１０８及び電源スイッチ１０９によって実現され、利用者による各種入力を受け付ける。例えば、利用者が、図３に示されている電源スイッチ１０９をＯＮにすると、図５に示されている操作入力受付部１２が電源ＯＮを受け付けて、電源をＯＮにする。
【００５４】
ログイン要求部１３は、図３に示されているＣＰＵ１０１からの命令によって実現され、上記電源ＯＮの受け付けを契機として、送受信部１１から通信ネットワーク２を介して管理システム５０に、ログインを要求する旨を示すログイン要求情報、及び要求元端末の現時点のＩＰアドレスを自動的に送信する。また、利用者が電源スイッチ１０９をＯＮの状態からＯＦＦにすると、送受信部１１が管理システム５０へ電源をＯＦＦする旨の状態情報を送信した後に、操作入力受付部１２が電源を完全にＯＦＦにする。これにより、管理システム５０側では、端末１０が電源ＯＮから電源ＯＦＦになったことを把握することができる。
【００５５】
撮像部１４は、図３に示されているＣＰＵ１０１からの命令、並びに図３に示されているカメラ１１２及び撮像素子Ｉ／Ｆ１１３によって実現され、被写体を撮像して、この撮像して得た画像データを出力する。
【００５６】
音声入力部１５ａは、図３に示されているＣＰＵ１０１からの命令、及び図３に示されている音声入出力Ｉ／Ｆ１１６によって実現され、マイク１１４によって利用者の音声が音声信号に変換された後、この音声信号に係る音声データを入力する。音声出力部１５ｂは、図３に示されているＣＰＵ１０１からの命令、及び図３に示されている音声入出力Ｉ／Ｆ１１６によって実現され、音声データに係る音声信号をスピーカに出力し、スピーカ１１５から音声を出力させる。
【００５７】
表示制御部１６は、図３に示されているＣＰＵ１０１からの命令、及び図３に示されているディスプレイＩ／Ｆ１１７によって実現され、外付けのディスプレイ１２０に対して画像データを送信するための制御を行う。
【００５８】
明度判定部１７は、図３に示されているＣＰＵ１０１からの命令によって実現され、送受信部１１から通信ネットワーク２を介して中継装置３０より送信された明度の平均値を受け取り、この明度の平均値が所定の閾値以下か否かの判定を行う。
【００５９】
電源制御部１８は、図３に示されているＣＰＵ１０１からの命令によって実現され、明度判定部１７の判定結果に応じて、端末１０の電源をＯＦＦにする。
【００６０】
条件設定部１９は、図３に示されているＣＰＵ１０１からの命令によって実現され、ユーザが操作ボタン１０８等を介して入力した設定情報を後述する条件設定管理ＤＢ１００１に格納する。
【００６１】
再開許否判定部２０は、図３に示されているＣＰＵ１０１からの命令によって実現され、後述する条件設定管理ＤＢ（Data Base）１００１に格納されている条件設定テーブルの内容に従って、要求元端末との接続の再開を行うか否かを判定する。
【００６２】
宛先リスト作成部２１は、図３に示されているＣＰＵ１０１からの命令によって実現され、管理システム５０から受信した宛先リスト情報及び各宛先候補としての端末１０の状態情報に基づいて、宛先リストの作成及び更新を行う。
【００６３】
記憶・読出処理部２２は、図３に示されているＣＰＵ１０１からの命令、及び図３に示すＳＳＤ１０５によって実行され、不揮発性記憶部１０００に各種データを記憶したり、不揮発性記憶部２０００に記憶された各種データを読み出す処理を行う。この不揮発性記憶部１０００には、端末１０を識別するための端末ＩＤ（Identification）、及びパスワード等が記憶される。また、不揮発性記憶部１０００は、後述する条件設定管理ＤＢ１００１及びメッセージ管理ＤＢ１００２等を有する。さらに、記憶・読出処理部２２は、揮発性記憶部２０００に各種データを記憶したり、揮発性記憶部２０００に記憶された各種データを読み出す処理も行う。この揮発性記憶部２０００には、宛先端末との通話を行う際に受信される画像データや音声データが、受信される度に上書き記憶される。このうち、上書きされる前の画像データによってディスプレイ１２０に画像が表示される、上書きされる前の音声データによってスピーカ１５０から音声が出力される。
【００６４】
なお、本実施形態の端末ＩＤ及び後述の中継装置ＩＤは、それぞれ端末１０及び中継装置３０を一意に識別するために使われる言語、文字、記号、又は各種のしるし等の識別情報を示す。また、端末ＩＤ及び中継装置ＩＤは、上記言語、文字、記号、及び各種のしるしのうち、少なくとも２つが組み合わされた識別情報であってもよい。
【００６５】
（条件設定テーブル）
不揮発性記憶部１０００には、図６に示されているような条件設定テーブルによって構成されている条件設定管理ＤＢ１００１が構築される。条件設定テーブルでは、端末１０の「用途」、宛先端末から送信される画像データの明度が所定の場合に自動で接続を終了させるか否かの「自動終了」、自動終了させない時間を示す「例外時刻」、宛先端末から送信される画像データの明度の閾値を示す「明るさの閾値」、自動で接続を行うか否かを示す「自動接続」、自動接続する端末１０を識別する「接続先」、自動接続する時刻を示す「時刻」、自身が宛先端末である場合に、要求元端末からの自動接続を許可するか否かを示す「自動接続許否」が関連付けられて管理される。これらの各フィールドは、後述するようにユーザが設定及び変更することができる。
【００６６】
「用途」フィールドでは、端末１０が会議システム用の端末として用いるか、監視システム用の端末として用いるかが設定されている。すなわち、ユーザが「用途」を「０：会議用」と設定した場合、複数の端末１０の間で画像データ及び音声データの送受信を行う会議用の端末となる。また、ユーザが「用途」を「１：監視用」と設定した場合、一方の端末１０から他方の端末１０に画像データ（及び音声データ）を送信して、一方の端末１０が設定されている部屋等を監視する監視用の端末となる。
【００６７】
「自動終了」フィールドでは、宛先端末から送信される画像データの明度が閾値以下の場合に自動で接続を終了させるか否かが設定されている。すなわち、例えば宛先端末から送信される画像データの明度が閾値以下の場合は、宛先端末が設置されている場所が夜になったものと判断して宛先端末との接続を自動で終了させるためである。
【００６８】
「例外時刻」フィールドでは、宛先端末から送信される画像データの明度が閾値以下になった場合においても、宛先端末との接続を終了させない時刻（例外時刻）が設定されている。
【００６９】
「明るさの閾値」フィールドでは、「自動終了」フィールドの値が「１：する」に設定されている場合、宛先端末から送信される画像データの明度が、ここで設定されている閾値以下の場合、宛先端末との接続を自動で終了させる。
【００７０】
「自動接続」フィールドでは、「接続先」フィールドに設定された端末１０に対して、「時刻」フィールドのテーブル項目に設定された時刻に自動で接続要求を行うか否かが設定されている。なお、図６の例では、「接続先」には、端末１０が設置されている場所と端末名が記載されているが、例えば端末１０の端末ＩＤなどでもよい。
【００７１】
「自動接続許否」フィールドは、自身が宛先端末である場合において、要求元端末からの自動接続を許可するか否かが設定されている。
【００７２】
上記テーブル項目のうち、「自動終了」フィールドから「接続先」フィールドまでは要求元端末（監視する側の端末）の設定項目であり、「自動接続許否」フィールドは宛先端末（監視される側の端末）の設定項目である。
【００７３】
上記の各テーブル項目は、例えば図７及び図８に示すような初期設定画面において設定することができる。例えばユーザは端末１０起動時の初期設定画面において、図７（ａ）に示すように、この端末１０の用途（会議用か監視用か）を選択する。ここでは、用途として「監視用」を選択したものとして説明を続ける。次に、ユーザは、この端末１０を監視する側の端末（要求元端末）として設定するか、監視する側の端末（宛先端末）として設定を行うかを選択する。まず、ユーザは、監視される側の端末として設定した場合について説明を続ける。
【００７４】
ユーザは、図７（ｂ）に示すように、夜間モードの設定（「自動終了」フィールドの設定）、及び夜間モードを設定した場合において、自動終了させない時刻（「例外時刻」フィールドの設定）の設定を行う。また、ユーザは、図７（ｃ）に示すように、夜間モードを設定した場合において、明るさの閾値（「明るさの閾値」フィールドの設定）の設定、及び図７（ｄ）に示すように、自動接続を行う宛先端末（「接続先」フィールドの設定）の設定と自動接続を行う時刻（「自動接続」フィールドの設定）を設定する。
【００７５】
また、例えば図８（ａ）に示すように、ユーザが、監視される側の端末として設定した場合、図８（ｂ）に示すように、要求元端末からの自動接続要求（接続開始要求）に対して、接続を許可するか否かを設定する。なお、図８（ｂ）に示すように、接続を許可しない設定を行った場合、例えばアドレス帳などから特定の端末１０からの自動接続要求（接続開始要求）のみ許可するように設定することができるようにしてもよい。
【００７６】
このように、ユーザは端末１０は初期設定において上記に示した各種設定を行うことができる。これにより、後述するように、宛先端末が設置されている場所が例えば夜になり、部屋が暗くなったような場合に、要求元端末は、宛先端末との接続を終了させるなどの処理を行うことができるようになる。なお、ユーザは、上記に示した初期設定において設定した各種設定を、端末１０の設定画面から変更することができる。このような、初期設定や設定の変更は、端末１０の条件設定部１９が、記憶・読出処理部２２を介して、ユーザが入力した設定内容を条件設定管理ＤＢ１００１の条件設定テーブルに上書きする（作成）することで行うことができる。
【００７７】
（メッセージテーブル）
不揮発性記憶部１０００には、図９に示されているようなメッセージテーブルによって構成されているメッセージ管理ＤＢ１００２が構築される。メッセージテーブルでは、メッセージＩＤと、このメッセージＩＤに対応するメッセージ内容が関連付けて管理されている。
【００７８】
＜中継装置の機能構成＞
中継装置３０は、送受信部３１、画像処理部３２、及び記憶・読出管理部３３を有している。これら各部は、図４に示されている各構成要素のいずれかが、ＨＤ２０４からＲＡＭ２０３上に展開された中継装置用プログラムに従ったＣＰＵ２０１からの命令によって動作することで実現される機能又は機能される手段である。また、中継装置３０は、中継装置３０の電源をＯＦＦにしても各種データ（または情報）の記憶が維持される不揮発性記憶部３０００を有しており、この不揮発性記憶部３０００は図４に示されているＨＤ２０４により構築されている。
【００７９】
次に、中継装置３０の各機能構成について詳細に説明する。なお、以下では、中継装置３０の各機能構成部を説明するにあたって、図４に示されている各構成要素のうち、中継装置３０の各機能構成を実現させるための主な構成要素との関係も説明する。
【００８０】
図５に示されている中継装置３０の送受信部３１は、図４に示されているＣＰＵ２０１からの命令、及び図４に示されているネットワークＩ／Ｆ２０９によって実現され、通信ネットワーク２を介して他の端末、装置、又はシステムと各種データ（または情報）の送受信を行う。
【００８１】
画像処理部３２は、図４に示されているＣＰＵ２０１からの命令によって実現され、端末１０から受信した画像データから、この画像データの明度の平均値（明るさ）を算出する。
【００８２】
記憶・読出管理部３３は、図４に示されているＣＰＵ２０１からの命令、及び図４に示されているＨＤＤ２０５によって実現され、不揮発性記憶部３０００に各種データを記憶したり、不揮発性記憶部３０００に記憶された各種データを読み出す処理を行う。なお、不揮発性記憶部３０００には、画像データの中継先としての端末１０のＩＰアドレスなどが記憶されている。
【００８３】
＜管理システムの機能構成＞
管理システム５０は、送受信部５１、端末認証部５２、状態管理部５３、端末抽出部５４、端末状態取得部５５、セッション管理部５６、自動接続監視部５７、及び記憶・読出処理部５８を有している。これら各部は、図４に示されている各構成要素のいずれかが、ＨＤ２０４からＲＡＭ２０３上に展開された管理システム用プログラムに従ったＣＰＵ２０１からの命令によって動作することで実現される機能又は機能される手段である。また、管理システム５０は、管理システム５０の電源をＯＦＦにしても各種データ（または情報）の記憶が維持される不揮発性記憶部５０００を有しており、この不揮発性記憶部５０００は図４に示されているＨＤ２０４により構築されている。
【００８４】
（中継装置管理テーブル）
不揮発性記憶部５０００には、図１０に示されているような中継装置管理テーブルによって構成されている中継装置管理ＤＢ５００１が構築されている。この中継装置管理テーブルでは、各中継装置３０の中継装置ＩＤ毎に、各中継装置３０の稼動状態、稼動状態が示される状態情報が管理システム５０で受信された受信日時、中継装置３０のＩＰアドレス、及び中継装置３０における最大データ伝送速度（Ｍｂｐｓ）が関連付けられて管理される。例えば、図１０に示されている中継装置管理テーブルにおいて、中継装置ＩＤが「１１１ａ」の中継装置３０ａは、稼動状態が「オンライン」で、管理システム５０で状態情報が受信された日時が「２００９年１１月１０日の１３時００分」で、この中継装置３０ａのＩＰアドレスが「１．２．１．２」で、この中継装置３０ａにおける最大データ伝送速度が１００Ｍｂｐｓであることが示されている。
【００８５】
（端末認証管理テーブル）
さらに、不揮発性記憶部５０００には、図１１に示されているような端末認証管理テーブルによって構成されている端末認証管理ＤＢ５００２が構築されている。この端末認証管理テーブルでは、管理システム５０によって管理される全ての端末１０の各端末ＩＤに対して、各パスワードが関連付けられて管理される。例えば、図１１に示されている端末認証管理テーブルにおいて、端末１０ａａの端末ＩＤは「０１ａａ」で、パスワードは「ａａａａ」であることが示されている。
【００８６】
（端末管理テーブル）
また、不揮発性記憶部５０００には、図１２に示されているような端末管理テーブルによって構成されている端末管理ＤＢ５００３が構築されている。この端末管理テーブルでは、各端末１０の端末ＩＤ毎に、各端末１０を宛先とした場合の宛先名、各端末１０の稼動状態、後述のログイン要求情報が管理システム５０で受信された受信日時、及び端末１０のＩＰアドレスが関連付けられて管理される。例えば、図１２に示されている端末管理
テーブルにおいて、端末ＩＤが「０１ａａ」の端末１０ａａは、端末名が「日本  東京事業所  ＡＡ端末」で、稼動状態が「オンライン」で、管理システム５０でログイン要求情報が受信された日時が「２００９年１１月１０日の１３時４０分」で、この端末１０ａａのＩＰアドレスが「１．２．１．３」であることが示されている。
【００８７】
（宛先リスト管理テーブル）
さらに、不揮発性記憶部５０００には、図１３に示されているような宛先リスト管理テーブルによって構成されている宛先リスト管理ＤＢ５００４が構築されている。この宛先リスト管理テーブルでは、監視システムやテレビ会議システムにおける通話の開始を要求する要求元端末の端末ＩＤに対して、宛先端末の候補として登録されている宛先端末の端末ＩＤが全て関連付けられて管理される。例えば、図１３に示されている宛先リスト管理テーブルにおいて、端末ＩＤが「０１ａａ」である要求元端末（端末１０ａａ）から監視システムやテレビ会議システムにおける通話の開始を要求することができる宛先端末の候補は、端末ＩＤが「０１ａｂ」の端末１０ａｂ、端末ＩＤが「０１ｂａ」の端末１０ｂａ、及び端末ＩＤが「０１ｂｂ」の端末１０ｂｂ等であることが示されている。この宛先端末の候補は、任意の要求元端末から管理システム５０に対する追加又は削除の要請により、追加又は削除されることで更新される。
【００８８】
（セッション管理テーブル）
また、この不揮発性記憶部５０００には、図１４に示されているようなセッション管理テーブルによって構成されているセッション管理ＤＢ５００５が構築されている。このセッション管理テーブルでは、中継装置３０を選択するためのセッションの実行に用いられるセッションＩＤ毎に、画像データ及び音声データの中継に使用される中継装置３０の中継装置ＩＤ、要求元端末の端末ＩＤ及び宛先端末の端末ＩＤが関連付けられて管理される。例えば、図１４に示されているセッション管理テーブルにおいて、セッションＩＤ「ｓｅ１」を用いて実行されたセッションで選択された中継装置３０ａ（中継装置ＩＤ「１１１ａ」）は、端末ＩＤが「０１ａａ」の要求元端末（端末１０ａａ）と、端末ＩＤが「０１ｄｂ」の宛先端末（端末１０ｄｂ）との間で、画像データ及び音声データを中継することが示されている。
【００８９】
（自動接続管理テーブル）
さらに、不揮発性記憶部５０００には、図１５に示されているような自動接続管理テーブルによって構成されている自動接続管理ＤＢ５００６が構築されている。この自動接続管理テーブルでは、各端末ＩＤ毎に自動接続を行う時刻が関連付けられて管理されている。例えば、図１５に示されている自動接続管理テーブルにおいて、端末ＩＤ「０１ａａ」の端末１０が自動接続を行う時刻は「平日８：００」にであることが示されている。この例では、管理システム５０は、平日８：００に端末ＩＤ「０１ａａ」に、設定された接続に対して自動接続を行うように要求する。
【００９０】
次に、管理システム５０の各機能構成について詳細に説明する。なお、以下では、管理システム５０の各機能構成部を説明するにあたって、図４に示されている各構成要素のうち、管理システム５０の各機能構成部を実現させるための主な構成要素との関係も説明する。
【００９１】
送受信部５１は、図４に示されているＣＰＵ２０１からの命令、及び図４に示されているネットワークＩ／Ｆ２０９によって実行され、通信ネットワーク２を介して他の端末、装置又はシステムと各種データ（または情報）の送受信を行う。
【００９２】
端末認証部５２は、図４に示されているＣＰＵ２０１からの命令によって実現され、送受信部５１を介して受信されたログイン要求情報に含まれている端末ＩＤ及びパスワードを検索キーとし、不揮発性記憶部５０００の端末認証管理ＤＢ５００２を検索し、端末認証管理ＤＢ５００２に同一の端末ＩＤ及びパスワードが管理されているかを判断することによって端末認証を行う。
【００９３】
状態管理部５３は、図４に示されているＣＰＵ２０１からの命令によって実現され、ログイン要求してきた要求元端末の稼動状態を管理すべく、端末管理ＤＢ５００３に、この要求元端末の端末ＩＤ、要求元端末の稼動状態、管理システム５０でログイン要求情報が受信された受信日時、及び要求元端末のＩＰアドレスを関連付けて記憶して管理する。また、状態管理部５３は、利用者が端末１０の電源スイッチ１０９をＯＮの状態からＯＦＦにすることで、端末１０から送られてきた、電源をＯＦＦする旨の状態情報に基づいて、端末管理ＤＢ５００３のオンラインを示す稼動状態をオフラインに変更する。
【００９４】
端末抽出部５４は、図４に示されているＣＰＵ２０１からの命令によって実現され、ログイン要求した要求元端末の端末ＩＤをキーとして、宛先リスト管理ＤＢ５００４を検索し、要求元端末と通話することができる宛先端末の候補の端末ＩＤを読み出すことで、端末ＩＤを抽出する。また、端末抽出部５４は、ログイン要求してきた要求元端末の端末ＩＤをキーとして、宛先リスト管理ＤＢ５００４を検索し、上記要求元端末の端末ＩＤを宛先端末の候補として登録している他の要求元端末の端末ＩＤも抽出する。
【００９５】
端末状態取得部５５は、図４に示されているＣＰＵ２０１からの命令によって実現され、上記端末抽出部５４によって抽出された宛先端末の候補の端末ＩＤを検索キーとして、端末管理ＤＢ５００３を検索し、上記端末抽出部５４によって抽出された端末ＩＤ毎に稼動状態を読み出す。これにより、端末状態取得部５５は、ログイン要求してきた要求元端末と通話することができる宛先端末の候補の稼動状態を取得することができる。また、端末状態取得部５５は、上記端末抽出部５４によって抽出された端末ＩＤを検索キーとして、端末管理ＤＢ５００３を検索し、ログイン要求してきた要求元端末の稼動状態も取得する。
【００９６】
セッション管理部５６は、図６に示されているＣＰＵ２０１からの命令によって実現され、不揮発性記憶部５０００のセッション管理ＤＢ５００５に、画像データ及び音声データを中継する中継装置３０の中継装置ＩＤと、セッションＩＤ、要求元端末の端末ＩＤ、及び宛先端末の端末ＩＤを関連付けて記憶して管理する。
【００９７】
自動接続監視部５７は、図４に示されているＣＰＵ２０１からの命令によって実行され、自動接続管理ＤＢ５００６の自動接続管理テーブルの自動接続する時刻を示す「時刻」フィールドの値を参照する。そして、現在の時刻が自動接続管理テーブルの「時刻」フィールドの値と一致する場合、送受信部５１を介して、自動接続管理テーブルに格納されている該当の端末ＩＤの端末１０に対して、接続指示を送信する。
【００９８】
記憶・読出処理部５８は、図４に示されているＣＰＵ２０１からの命令、及び図４に示
されているＨＤＤ２０５によって実行され、不揮発性記憶部５０００に各種データを記憶
したり、不揮発性記憶部５０００に記憶された各種データを読み出す処理を行う。
【００９９】
＜処理の詳細＞
次に、図１６乃至図２２を用いて、本実施形態に係る伝送システム１における処理の詳細について説明する。
【０１００】
まず、図１６を用いて、端末１０ａａと端末１０ｄｂとの間で、接続を開始する前の準備段階における各管理情報の送受信処理について説明する。図１６は、本実施形態に係る端末の間で接続を開始する準備段階の処理の一例のシーケンス図である。
【０１０１】
ユーザ（利用者）が、図３に示されている電源スイッチ１０９をＯＮにする、図５に示されている操作入力受付部１２が電源ＯＮを受け付けて、電源をＯＮにする（ステップＳ１１）。そして、ログイン要求部１３は、上記電源ＯＮの受け付けを契機とし、送受信部１１から通信ネットワーク２を介して管理システム５０に、ログイン要求を示すログイン要求情報を自動的に送信する（ステップＳ１２）。このログイン要求情報には、要求元としての自端末である端末１０ａａを識別するための端末ＩＤ、及びパスワードが含まれている。これら端末ＩＤ、及びパスワードは、記憶・読出処理部２２を介して不揮発性記憶部１０００から読み出されて、送受信部１１に送られたデータである。なお、端末１０ａａから管理システム５０へログイン要求情報が送信されると、受信側である管理システム５０は、送信側である端末１０ａａのＩＰアドレスを把握することができる。
【０１０２】
次に、管理システム５０の端末認証部５２は、送受信部５１を介して受信したログイン要求情報に含まれている端末ＩＤ及びパスワードを検索キーとして、不揮発性記憶部５０００の端末認証管理ＤＢ５００２を検索し、端末認証管理ＤＢ５００２に同一の端末ＩＤ及びパスワードが管理されているかを判断することによって端末認証を行う（ステップＳ１３）。この端末認証部５２によって、同一の端末ＩＤ及びパスワードが管理されているため、正当な利用権限を有する端末１０からのログイン要求であると判断された場合には、状態管理部５３は、端末管理ＤＢ５００３に、端末１０ａａの端末ＩＤ及び宛先名で示されるレコード毎に、稼働稼働状態、上記ログイン要求情報が受信された受信日時、及び端末１０ａａのＩＰアドレスを関連付けて記憶する（ステップＳ１４）。これにより、図１２に示されている端末管理テーブルには、端末ＩＤ「０１ａａ」に、稼働状態「オンライン」、受信日時「２００９．１１．１０．１３：４０」及び端末ＩＰアドレス「１．２．１．３」が関連付けて管理されることになる。
【０１０３】
そして、管理システム５０の送受信部５１は、上記端末認証部５２によって得られた認証結果が示された認証結果情報を、通信ネットワーク２を介して、上記ログイン要求してきた要求元端末（端末１０ａａ）に送信する（ステップＳ１５）。本実施形態では、端末認証部５２によって正当な利用権限を有する端末であると判断された場合について、以下続けて説明する。
【０１０４】
要求元端末（端末１０ａａ）では、正当な利用権限を有する端末であると判断された結果が示された認証結果情報を受信すると、送受信部１１が通信ネットワーク２を介して管理システム５０へ、宛先リストを要求する旨が示された宛先リスト要求情報を送信する（ステップＳ１６）。これにより、管理システム５０の送受信部５１は、宛先リスト要求情報を受信する。
【０１０５】
次に、端末抽出部５４は、ログイン要求した要求元端末（端末１０ａａ）の端末ＩＤ「０１ａａ」を検索キーとして、宛先リスト管理ＤＢ５００４を検索し、要求元端末（端末１０ａａ）と通話することができる宛先端末の候補の端末ＩＤと、この端末ＩＤに対応する宛先名を読み出すことによって抽出する（ステップＳ１７）。ここでは、要求元端末（端末１０ａａ）の端末ＩＤ「０１ａａ」に対応する宛先端末（１０ａｂ，１０ｂａ，１０ｂｂ，…）のそれぞれの端末ＩＤ（「０１ａｂ」、「０１ｂａ」、「０１ｄｂ」、…）と、これらに対応する端末名（「日本  東京事業所  ＡＢ端末」、「日本  大阪事業所  ＢＡ端末」、「アメリカ  ワシントン事業所  ＤＢ端末」、…）が抽出される。
【０１０６】
次に、管理システム５０の送受信部５１は、上記端末抽出部５４によって抽出された端末ＩＤ及び宛先名を含めた宛先リスト情報を要求元端末（端末１０ａａ）に送信する（ステップＳ１８）。宛先リスト情報とは、例えば上記端末抽出部５４によって抽出された端末ＩＤ及び宛先名を一覧形式に並べたものである。要求元端末（端末１０ａａ）では、送受信部１１が宛先リスト情報を受信し、記憶・読出処理部２２が揮発性記憶部２０００へ宛先リスト情報を記憶する（ステップＳ１９）。
【０１０７】
このように、本実施形態では、各端末１０で宛先リスト情報を管理するのではなく、管理システム５０が全ての端末の宛先リスト情報を一元管理している。よって、伝送システム１に新たな端末１０が含まれるようになったり、既に含まれている端末１０に替えて新機種の端末１０を含めるようになったり、宛先リスト枠の見栄え等を変更することになった場合でも、管理システム５０側で一括して対応するため、各端末１０側で宛先リスト情報の変更を行う手間を省くことができる。
【０１０８】
また、管理システム５０の端末状態取得部５５は、上記端末抽出部５４によって抽出された宛先端末の候補の端末ＩＤ（「０１ａｂ」、「０１ｂａ」、「０１ｄｂ」、…）を検索キーとして、端末管理ＤＢ５００３を検索し、上記端末抽出部５４によって抽出された端末ＩＤ毎に、対応する稼動状態を読み出すことで、宛先候補としての端末（１０ａｂ，１０ｂａ，１０ｂｂ，…）の各稼動状態を取得する（ステップＳ２０）。
【０１０９】
次に、送受信部５１は、上記ステップＳ１７で使用された検索キーとしての端末ＩＤ「０１ａｂ」と、対応する宛先端末（端末１０ａｂ）の稼動状態「オンライン（通話可能）」とが含まれた「端末の状態情報」を、通信ネットワーク２を介して要求元端末（端末１０ａａ）に送信する（ステップＳ２１）。また、同じくステップＳ２１の一環として、送受信部５１は、端末ＩＤ「０１ｂａ」と、対応する宛先端末（端末１０ｂａ）の稼動状態「オンライン（一時中断）」とが含まれた「端末の状態情報」等、残りの「端末の状態情報」も個別に要求元端末（端末１０ａａ）へ送信する。
【０１１０】
次に、要求元端末（端末１０ａａ）の記憶・読出処理部２２、順次、管理システム５０から受信した端末の状態情報を揮発性記憶部２０００に記憶する（ステップＳ２２）。よって、要求元端末（端末１０ａａ）は、上記各端末の状態情報を受信することで、要求元端末（端末１０ａａ）と通話することができる宛先端末の候補である端末１０ａｂ等の現時点のそれぞれの稼動状態を取得することができる
次に、要求元端末（端末１０ａａ）の宛先リスト作成部２１は、揮発性記憶部２０００に記憶されている宛先リスト情報、及び端末の状態情報に基づいて、宛先候補としての端末１０の状態を反映させた宛先リストを作成すると共に、表示制御部１６が、図３に示されているディスプレイ１２０に対して、宛先リストを表示させる（ステップＳ２３）。
【０１１１】
このようにして、要求元端末（端末１０ａａ）は、監視される側の端末（宛先端末）の宛先リストをディスプレイ１２０に表示させることができる。また、この宛先リストには、宛先端末の稼働状態を表示させることができるため、ユーザは、その宛先端末に接続することができるのか否かを知ることができる。
【０１１２】
次に、複数の端末１０の間で通話（接続）を開始する処理について説明する。図１７は、本実施形態に係る複数の端末の間で接続を開始する段階の処理の一例のシーケンス図である。本実施形態では、要求元端末（端末１０ａａ）は、宛先の候補としての端末１０のうち、上記ステップＳ２１で受信した端末の状態情報により、稼働状態がオンラインである端末と通話をすることができる（稼働状態がオンラインである端末を監視することができる）。そこで、以下では、要求元端末（端末１０ａａ）の利用者（ユーザ）が、宛先端末として端末１０ｄｂを選択した場合について説明する。
【０１１３】
まず、ユーザが図３に示されている操作ボタン１０８を押下して端末１０ｄｂを選択すると、図５に示されている操作入力受付部１２は、端末１０ｄｂとの接続（通話）を開始する要求を受け付ける（ステップＳ３１）。そして、端末１０ａａの送受信部１１は、要求元端末（端末１０ａａ）の端末ＩＤ「０１ａａ」、及び宛先端末（端末１０ｄｂ）の端末ＩＤ「０１ｄｂ」が含まれ、接続（通話）を開始したい旨を示す開始要求情報を、管理システム５０に送信する（ステップＳ３２）。これにより、管理システム５０の送受信部５１は、上記開始要求情報を受信すると共に、送信元である要求元端末（端末１０ａａ）のＩＰアドレス「１．２．１．３」を把握することになる。なお、ここで、管理システム５０は、宛先端末（端末１０ｄｂ）に要求元端末（端末１０ａａ）からの接続を許可するかを問い合わせてもよい。すなわち、管理システム５０は、宛先端末（端末１０ｄｂ）に対し、接続要求を送信し、宛先端末（端末１０ｄｂ）はこれを受けて、ディスプレイ１２０に接続を許可するか／許可しないかを選択するための表示を行い、ユーザに選択させるようにしてもよい。
【０１１４】
そして、状態管理部５３は、開始要求情報に含まれる要求元端末（端末１０ａａ）の端末ＩＤ「０１ａａ」及び宛先端末（端末１０ｄｂ）の端末ＩＤ「０１ｄｂ」に基づき、端末管理ＤＢ５００３の端末管理テーブルにおいて、上記端末ＩＤ「０１ａａ」及び端末ＩＤ「０１ｄｂ」がそれぞれ含まれるレコードの稼働状態のフィールド部分を、ともに「通話中」に変更する（ステップＳ３３）。なお、この状態では、要求元端末（端末１０ａａ）と宛先端末（端末１０ｄｂ）は、通話（接続）を開始していないが、通話中状態となり、他の端末１０が要求元端末（端末１０ａａ）又は宛先端末（端末１０ｄｂ）と接続（通話）しようとすると、いわゆる通話中状態を示す旨の音声又は表示が出力される。
【０１１５】
次に、図５に示されているセッション管理部５６は、セッションＩＤを生成する（ステップＳ３３）。ここでは、セッションＩＤとして「ｓｅ１」が生成されたものとする。そして、この生成したセッションＩＤ「ｓｅ１」と、要求元端末（端末１０ａａ）の端末ＩＤ「０１ａａ」と、宛先端末（端末１０ｄｂ）の端末ＩＤ「０１ｄｂ」とをセッション管理ＤＢ５００５に関連付けて記憶して管理する。さらに、セッション管理部５６は、中継装置管理ＤＢ５００１から稼働状態が「オンライン」の中継装置３０のうち、要求元端末（端末１０ａａ）と宛先端末（端末１０ｄｂ）とが通信するのに適切な中継装置３０を決定し（ここでは中継装置３０ａが決定されたものとする）、この中継装置３０ａとステップＳ３１で生成したセッションＩＤ「ｓｅ１」とをセッション管理ＤＢ５００５に関連付けて記憶して管理する。なお、上記において中継装置３０を決定するための方法は、例えば要求元端末（端末１０ａａ）と宛先端末（端末１０ｄｂ）とが通信するに際し、通信帯域が最も広いネットワーク上にある中継装置３０を選択する等の方法が考えられる。
【０１１６】
そして、管理システム５０の送受信部５１は、ステップＳ３４で生成したセッションＩＤ「ｓｅ１」と、ステップＳ３６で決定した中継装置３０ａのＩＰアドレス「１．２．１．２」とを要求元端末（端末１０ａａ）及び宛先端末（端末１０ｄｂ）に送信する（ステップＳ３７及びＳ３８）。なお、中継装置３０ａのＩＰアドレスは、中継装置管理ＤＢ５００１から記憶・読出処理部５８を介して取得することができる。これにより、要求元端末（端末１０ａａ）と宛先端末（端末１０ｄｂ）との間でセッションが確立される（ステップＳ４０）。
【０１１７】
以降は、上記のステップＳ４０で確立したセッションを用いて、要求元端末（端末１０ａａ）と宛先端末（端末１０ｄｂ）との間で、中継装置３０ａを介して、画像データ及び音声データが送受信される。なお、監視システムとして要求元端末（端末１０ａａ）を利用する場合、宛先端末（端末１０ｄｂ）から上記のステップＳ４０で確立したセッションを用いて、中継装置３０ａを介して、画像データが送信される。
【０１１８】
次に、要求元端末（端末１０ａａ）が、宛先端末（端末１０ｄｂ）から送信される画像データに基づき、宛先端末（端末１０ｄｂ）との接続を自動で切断し、要求元端末（端末１０ａａ）の電源をＯＦＦにする処理について説明する。すなわち、例えば宛先端末（端末１０ｄｂ）が設置されている場所が夜になった場合などにより、要求元端末（端末１０ａａ）が受信する画像データの明るさが閾値以下になったとき、要求元端末（端末１０ａａ）は自動的に宛先端末（端末１０ｄｂ）との接続を切断し、自身の電源をＯＦＦにする。これにより、夜間にも関わらず、要求元端末（端末１０ａａ）が宛先端末（端末１０ｄｂ）と接続され続けることによる無駄な通話料の発生やネットワークトラフィックの発生を防止することができる。図１８は、本実施形態に係る自動切断処理の一例のシーケンス図である。
【０１１９】
要求元端末（端末１０ａａ）は、宛先端末（端末１０ｄｂ）の例えばカメラ１１２で撮像された画像データを受信することにより、宛先端末（端末１０ｄｂ）が設置されている場所（例えば宛先端末（端末１０ｄｂ）が設置されている執務エリアなど）を監視しているものとする。このとき、中継装置３０ａの送受信部３１は、上記ステップＳ４０で確立したセッションを用いて、宛先端末（端末１０ｄｂ）から送信される画像データを受信する（ステップＳ５１）。そして、中継装置３０ａの送受信部３１は、上記ステップＳ４０で確立したセッションを用いて、受信した画像データを要求元端末（端末１０ａａ）に送信する（ステップＳ５２）。すなわち、要求元端末（端末１０ａａ）と宛先端末（端末１０ｄｂ）は、中継装置３０ａを介してデータの送受信を行う。
【０１２０】
なお、このとき、要求元端末（端末１０ａａ）の送受信部１１は、中継装置３０ａを介して、宛先端末（端末１０ｄｂ）から画像データを受信すると、記憶・読出処理部２２を介して揮発性記憶部２０００に格納する。そして、揮発性記憶部２０００に格納された画像データは、表示制御部１６の制御に従って、順次、ディスプレイ１２０に表示される。これにより、要求元端末（端末１０ａａ）のユーザは、宛先端末（端末１０ｄｂ）が設置されている場所の監視を行うことができる。
【０１２１】
中継装置３０（中継装置３０ａ）の画像処理部３２は、宛先端末（端末１０ｄｂ）から受信した画像データの明度の平均値（明るさ）を算出する（ステップＳ５３）画像処理部３２は、例えば受信した画像データをモノクロの画像データに変換し、このモノクロの画像データの各ピクセル（画素）の明度（例えば０〜２５５の値）を合計し、この合計値を画像データのピクセル数で除算することで明度の平均値を算出する。画像処理部３２は、以上のような画像データの明度の平均値の算出を、所定の間隔（例えば１分毎）で行う。
【０１２２】
そして、中継装置３０（中継装置３０ａ）の送受信部３１は、ステップＳ５３で算出した画像データの明度の平均値を要求元端末（端末１０ａａ）に送信する。
【０１２３】
要求元端末（端末１０ａａ）の送受信部１１は、中継装置３０（中継装置３０ａ）から画像データの明度の平均値を受信すると、明度判定部１７に処理を依頼する。そして、明度判定部１７は、条件設定管理ＤＢ１００１の条件設定テーブルの「明るさの閾値」フィールドの値を参照し、中継装置３０（中継装置３０ａ）から受け取った画像データの明度の平均値がこの閾値以下か否かを判定する（ステップＳ３５）。以降では、明度判定部１７は、中継装置３０（中継装置３０ａ）から受け取った明度の平均値が閾値以下であると判定した場合について説明する。
【０１２４】
そして、明度判定部１７は、条件設定管理ＤＢ１００１の条件設定テーブルの「例外時刻」フィールドの値を参照して、現在時刻が「例外時刻」フィールドに設定された値に該当するか否かを判定する。これにより、所定の時間帯（例えば昼休みなどの時間帯）は照明が落とされていることにより、明度の平均値が閾値以下になった場合においても、この時間帯では要求元端末（端末１０ａａ）の電源はＯＦＦされないようにすることができる。
【０１２５】
現在時刻が「例外時刻」フィールドに設定された値に該当する場合、又は、上記において、明度判定部１７が中継装置３０（中継装置３０ａ）から受け取った明度の平均値が閾値より大きいと判定した場合は、以降のステップＳ５６〜Ｓ６３の処理は行われず、ステップＳ５１〜Ｓ５５の処理が繰り返し実行される。
【０１２６】
要求元端末（端末１０ａａ）の明度判定部１７は、表示制御部１６に対して、メッセージ表示を依頼する（ステップＳ５６）。そして、表示制御部１６は、記憶・読出処理部２２を介して、メッセージ管理ＤＢ１００２から例えばメッセージＩＤ「０００１」のメッセージをディスプレイ１２０に表示させる。表示制御部１６は、例えば図２０に示すようなメッセージをディスプレイ１２０に表示させる。
【０１２７】
次に、要求元端末（端末１０ａａ）の明度判定部１７は、記憶・読出処理部２２を介して、条件設定管理ＤＢ１００１から自動接続の可否、接続先、及び自動接続する時刻を取得する（ステップＳ５７）。すなわち、明度判定部１７は、記憶・読出処理部２２を介して、条件設定テーブルの「自動接続」フィールドの値、「接続先」フィールドの値、及び「時刻」フィールドの値を取得する。
【０１２８】
なお、このとき、「自動接続」フィールドの値が自動接続を行わないことを示す「０：しない」である場合、以降のステップＳ５９〜６２の処理は行わず、通常の接続終了処理を行う。すなわち、このとき、要求元端末（端末１０ａａ）の送受信部１１は、接続終了を示す情報を管理システム５０に送信する。そして、管理システム５０も接続終了を示す情報を宛先端末（端末１０ｄｂ）及び中継装置３０（中継装置３０ａ）に送信して、要求元端末（端末１０ａａ）と宛先端末（端末１０ｄｂ）との接続を終了させる。以降では、「自動接続」フィールドの値が自動接続を行うことを示す「１：する」であるとして説明を続ける。
【０１２９】
要求元端末（端末１０ａａ）の記憶・読出処理部２２は、要求元端末（端末１０ａａ）の端末ＩＤ「０１ａａ」と宛先端末（端末１０ｄｂ）の端末ＩＤ「０１ｄｂ」を不揮発性記憶部１０００に保存する（ステップＳ５８）。これは、後述する自動接続処理において、端末１０ａａは、端末１０ｄｂとの接続を再開（再度の接続開始要求の送信）できるようにするためである。
【０１３０】
要求元端末（端末１０ａａ）の送受信部１１は、管理システム５０に接続終了情報を送信し、管理システム５０及び中継装置３０（中継装置３０ａ）との接続を終了させる。（ステップＳ５９）。接続終了情報には、接続を終了させることを示す情報と、要求元端末（端末１０ａａ）が宛先端末（端末１０ｄｂ）と自動接続する時刻（条件設定テーブルの「時刻」フィールの値）と、要求元端末（端末１０ａａ）の端末ＩＤ「０１ａａ」と、宛先端末（端末１０ｄｂ）の端末ＩＤ「０１ｄｂ」とが含まれる。接続終了情報は、例えば図１９に示すようなテーブルである。図１９に示す例では、「端末ＩＤ」フィールドに要求元端末（端末１０ａａ）の端末ＩＤ「０１ａａ」と宛先端末（端末１０ｄｂ）の端末ＩＤ「０１ｄｂ」が設定されている。「接続終了」フィールドには、接続を終了させることを示す情報「１」が設定されている。「接続開始」フィールドには、要求元端末（端末１０ａａ）は「自動接続時刻」フィールドに設定されている時刻に自動で接続を再開させることを示す「１」が設定されている。「用途」及び「監視」フィールドは、要求元端末（端末１０ａａ）がどのような設定がされているかを示す情報である。この例では、要求元端末（端末１０ａａ）は、監視用であり監視する側の端末（宛先端末から画像データを受信する端末）の端末として設定されていることを示している。
【０１３１】
そして、管理システム５０の送受信部５１は、接続終了情報を受信すると、この接続終了情報のうち、接続を終了させることを示す情報と、要求元端末（端末１０ａａ）の端末ＩＤと、宛先端末（端末１０ｄｂ）の端末ＩＤとを宛先端末（端末１０ｄｂ）に送信する（ステップＳ６０）。宛先端末（１０ｄｂ）の送受信部３１は、接続を終了させることを示す情報を受信すると、接続を終了させる処理を行い、中継装置３０（中継装置３０ａ）との接続を終了させる。
【０１３２】
管理システム５０の記憶・読出処理部５８は、接続終了情報に含まれる「端末ＩＤ」フィールドの要求元端末（端末１０ａａ）の端末ＩＤ「０１ａａ」と、「自動接続時刻」フィールドに設定されている時刻とを自動接続管理ＤＢに記憶して管理する。これにより、後述するように、管理システム５０は、ここで記憶した自動接続時刻になったときに、要求元端末（端末１０ａａ）に対して、起動指示及び接続指示を行うことができる。
【０１３３】
そして、要求元端末（端末１０ａａ）の電源制御部１８は、要求元端末（端末１０ａａ）の電源をＯＦＦにする（ステップＳ６３）なお、要求元端末（端末１０ａａ）の電源制御部１８は、例えば要求元端末（端末１０ａａ）をスリープモードなどの節電状態や省電力状態に移行させるようにしてもよい。
【０１３４】
以上により、宛先端末（端末１０ｄｂ）が設置されている場所が夜になったことなどにより、この宛先端末（端末１０ｄｂ）から送信される画像データの明度の平均値が所定の閾値以下になった場合、要求元端末（端末１０ａａ）は、宛先端末（端末１０ｄｂ）との接続を終了させる。これにより、無駄な通話料の発生やネットワークトラフィックの発生を防止することができる。
【０１３５】
また、このとき、要求元端末（端末１０ａａ）は、例えば所定の時刻（例えば朝８：００など）に宛先端末（端末１０ｄｂ）との接続を再開させるための処理を行う。これにより、後述する自動接続処理において、要求元端末（端末１０ａａ）は宛先端末（端末１０ｄｂ）との接続を再開することができる。
【０１３６】
次に、図１８の自動切断処理の後において、図１８における要求元端末（端末１０ａａ）が宛先端末（端末１０ｄｂ）との接続を再開させる処理について説明する。図２１は、本実施形態に係る自動接続処理の一例のシーケンス図である。
【０１３７】
管理システム５０の自動接続監視部５７は、常時、自動接続管理ＤＢ２００６の「自動接続時刻」フィールドの値（時刻）と現在時刻とを監視している。そして、自動接続監視部５７は、現在時刻と「自動接続時刻」フィールドの値（時刻）が一致しているか否かを判定する（ステップＳ７１）。なお、自動接続監視部５７は、現在時刻と「自動接続時刻」フィールドの値（時刻）が一致していないと判定した場合、何も行わない。以降では、自動接続監視部５７は、現在時刻と「自動接続時刻」フィールドの値（時刻）が一致していると判定した場合について説明する。
【０１３８】
管理システム５０の送受信部５１は、要求元端末（端末１０ａａ）に対して、要求元端末（端末１０ａａ）の電源をＯＮにするための起動指示と、宛先端末（端末１０ｄｂ）との接続を再開するための接続指示を送信する（ステップＳ７２）。起動指示には、例えばWake-on-LANなどを利用することができる。
【０１３９】
要求元端末（端末１０ａａ）の送受信部１１は、起動指示と接続指示を受信すると、電源制御部１８が要求元端末（端末１０ａａ）の電源をＯＮにする。そして、要求元端末（端末１０ａａ）の記憶・読出処理部２２は、不揮発性記憶部２０００から接続先情報として宛先端末（端末１０ｄｂ）の端末ＩＤ「０１ｄｂ」を取得する（ステップＳ７４）。
【０１４０】
要求元端末（端末１０ａａ）の送受信部１１は、接続開始要求（接続再開要求）を管理システム５０に送信する（ステップＳ７４）。接続開始要求には、ステップＳ７３で取得した宛先端末（端末１０ｄｂ）の端末ＩＤ「０１ｄｂ」と、要求元端末（端末１０ａａ）の端末ＩＤ「０１ａａ」が含まれる。そして、管理システム５０の送受信部５１は、要求元端末（端末１０ａａ）から接続開始要求を受信すると、この要求元端末（端末１０ａａ）のＩＰアドレスを把握する。
【０１４１】
管理システム５０の送受信部５１は、要求元端末（端末１０ａａ）の端末ＩＤ「０１ａａ」と宛先端末（端末１０ｄｂ）の端末ＩＤ「０１ｄｂ」とを含む接続開始要求と、要求元端末（端末１０ａａ）のＩＰアドレスを、宛先端末（端末１０ｄｂ）に送信する（ステップＳ７５）。これに先立って、管理システム５０は受け取った宛先端末（端末１０ｄｂ）の端末ＩＤ「０１ｄｂ」を検索キーとして端末管理ＤＢ５００３を検索し、宛先端末（端末１０ｄｂ）のＩＰアドレスを把握する。また、このとき、端末管理ＤＢ５００３に保存されている要求元端末（端末１０ａａ）のＩＰアドレスが、受け取った要求元端末（端末１０ａａ）のＩＰアドレスと異なる場合は、端末ＩＤ「０１ａａ」のＩＰアドレスを更新（上書き）する。
【０１４２】
なお、ステップＳ７４及びＳ７５の接続開始要求には、要求元端末（端末１０ａａ）が図１８の自動切断処理後の自動起動処理による接続開始（再開）要求であることを示す情報（例えば宛先端末（端末１０ｄｄｂ）との接続の再開を要求することを示すフラグなど）を含めてもよい。このように、通常の接続開始要求と、図１８の自動切断処理後の自動起動処理による接続開始要求（接続の再開の要求）とを区別してもよい。
【０１４３】
宛先端末（端末１０ｄｂ）の再開許否判定部２０は、記憶・読出処理部２２を介して、条件設定管理ＤＢ１００１の条件設定テーブルの「自動接続許否」フィールドの値を参照して、自動接続を許可する設定になっているか否かを判定する（ステップＳ７６）。つまり、宛先端末（端末１０ｄｂ）の再開許否判定部２０は、条件設定テーブルの「自動接続許否」フィールドを参照して、他の端末１０からの接続要求に対して、例えば宛先端末（端末１０ｄｂ）のユーザによる許可／不許可の操作指示を必要とせずに、自動で接続を許可する設定となっているか否かを判定する。そして、宛先端末（端末１０ｄｂ）の送受信部５１は、再開許否判定部２０の判定結果を管理システム５０に送信する（ステップＳ７７）。以降、再開許否判定部２０による判定結果が許可しないことを示す情報である場合、ステップＳ７８及びＳ７９を行い、再開許否判定部２０による判定結果が許可することを示す情報である場合、ステップＳ８０及びＳ８１を行う。
【０１４４】
なお、例えば宛先端末（端末１０ｄｂ）の電源がＯＦＦなどにより接続することができないば場合も、以降、ステップＳ７８及びＳ７９を行う。これは、例えば管理システム５０が宛先端末（１０ｄｂ）に接続開始要求を送信後、所定の時間応答がなかった場合（タイムアウトした場合）も同様である。
【０１４５】
再開許否判定部２０による判定結果が許可しないことを示す情報である場合、管理システム５０の送受信部５１は、接続を許可されなかったことを示す情報を要求元端末（端末１０ａａ）に送信する（ステップＳ７８）。そして、要求元端末（端末１０ａａ）は、接続を許可されなかったことを示す情報を受信すると、表示制御部１６が例えば図２２に示すような接続ができなかったことを示すメッセージをディスプレイ１２０に表示させる（ステップＳ７９）。
【０１４６】
再開許否判定部２０による判定結果が許可すること示す情報である場合、管理システム５０の送受信部５１は、接続が許可されたことを示す情報（接続再開応答）を要求元端末（端末１０ａａ）に送信し（ステップＳ８０）、要求元端末（端末１０ａａ）と宛先端末（１０ｄｂ）との間でセッションが確立される（ステップＳ８１）。なお、ここでは説明を省略したが、ステップＳ８０の処理に前又は後に、管理システム５０は、要求元端末（端末１０ａａ）と宛先端末（１０ｄｂ）の通信を中継する中継装置３０を決定し、この決定した中継装置３０のＩＰアドレスを要求元端末（端末１０ａａ）と宛先端末（１０ｄｂ）に通知する。
【０１４７】
以上により、図１８の処理の後、要求元端末は、宛先端末と接続を再開することができる。これにより、例えば要求元端末は夜になると電源をＯＦＦして宛先端末との接続を終了し、朝になったら電源をＯＮにして宛先端末との接続を再開することができる。したがって、ユーザは、手動で要求元端末の電源をＯＮにして、宛先端末と再度接続をするという操作を行う必要がなく、ユーザの手間を省くことができる。
【０１４８】
なお、送受信部１１は、受信手段、再開要求手段、及び接続再開手段の一例である。明度判定部１７は、判定手段の一例である。電源制御部１８及び送受信部１１は、移行手段の一例である。条件設定部１９は、再開条件設定手段の一例である。再開許否判定部２０は、再開判定手段の一例である。送受信部３１は、送信手段の一例である。画像処理部３２は、明度情報生成手段の一例である。
【０１４９】
本発明は、具体的に開示された上記の実施形態に限定されるものではなく、特許請求の範囲から逸脱することなく、種々の変形や変更が可能である。
【符号の説明】
【０１５０】
１    伝送システム
２    通信ネットワーク
１０    伝送端末
１１    送受信部
１２    操作入力受付部
１３    ログイン要求部
１４    撮像部
１５ａ    音声入力部
１５ｂ    音声出力部
１６    表示制御部
１７    明度判定部
１８    電源制御部
１９    条件設定部
２０    再開許否判定部
２１    宛先リスト作成部
２２    記憶・読出処理部
３０    中継装置
３１    送受信部
３２    画像処理部
５０    伝送管理システム
５１    送受信部
５７    自動接続監視部
１００１    条件設定管理ＤＢ
１００２    メッセージ管理ＤＢ
５００６    自動接続管理ＤＢ
【先行技術文献】
【特許文献】
【０１５１】
【特許文献１】特開２０１１−２０５６１２号公報
【特許文献２】特開２０００−２９５５９２号公報
【図１】
2015159391.tif 000003
【図２】
2015159391.tif 000004
【図３】
2015159391.tif 000005
【図４】
2015159391.tif 000006
【図５】
2015159391.tif 000007
【図６】
2015159391.tif 000008
【図７】
2015159391.tif 000009
【図８】
2015159391.tif 000010
【図９】
2015159391.tif 000011
【図１０】
2015159391.tif 000012
【図１１】
2015159391.tif 000013
【図１２】
2015159391.tif 000014
【図１３】
2015159391.tif 000015
【図１４】
2015159391.tif 000016
【図１５】
2015159391.tif 000017
【図１６】
2015159391.tif 000018
【図１７】
2015159391.tif 000019
【図１８】
2015159391.tif 000020
【図１９】
2015159391.tif 000021
【図２０】
2015159391.tif 000022
【図２１】
2015159391.tif 000023
【図２２】
2015159391.tif 000024